(57)【要約】【課題】確実かつ的確にフレキシブルプリント配線板を押えて、液晶パネルの浮上りを防止し、フレキシブルプリント配線板と液晶パネル及び配線基板との接続を確実に保つ。【解決手段】主表示用液晶パネル２１を保持する保持フレーム２４の主表示用液晶パネル２１とフレキシブルプリント配線板２５との接続箇所近傍に、予め形成された押え部２７が、フレキシブルプリント配線板２５を保持基体本体側に押圧するように押える。これにより、フレキシブルプリント配線板２５に対する押圧力の強さや押圧位置の誤差を抑えることができ、押え部２７がフレキシブルプリント配線板２５を押えて、主表示用液晶パネル２１の浮上りを防止して、表示画面の傾きを防止することができる。また、押え部２７がフレキシブルプリント配線板２５を押えて、フレキシブルプリント配線板２５と主表示用液晶パネル２１及び配線基板２３との接続が確実に保たれるようにすることができる。【選択図】図２
2005123544.tif 000002
【特許請求の範囲】
【請求項１】
回路基板と該回路基板から出力される電気的制御に応答して所定の機能を発揮する機能パネルとが、フレキシブル配線板を介して電気的に接続され、かつ、前記機能パネルと前記回路基板とは、機能パネル取付用のフレームを介して互いに重ねられた状態で接合された機能パネルと回路基板との接続構造であって、
前記フレームには、当該フレームの前記フレキシブル配線板側に、前記フレキシブル配線板の拡開を防止するための押え部が設けられていることを
特徴とするフレキシブル配線板を介した機能パネルと回路基板との接続構造。
【請求項２】
前記回路基板と前記機能パネルとは、弓なりに曲げられた前記フレキシブル配線板を介して電気的に接続されていることを特徴とする請求項１記載のフレキシブル配線板を介した機能パネルと回路基板との接続構造。
【請求項３】
前記押え部の前記フレキシブル配線板に接触する部位の高さは、前記機能パネルと前記回路基板との離隔に応じて設定されていることを特徴とする請求項１又は２記載のフレキシブル配線板を介した機能パネルと回路基板との接続構造。
【請求項４】
前記押え部は、前記フレキシブル配線板のフレーム側折返し部の上面を押える天井部と、前記フレキシブル配線板の側方に配置され、前記天井部を支持する支持部とを有してなることを特徴とする請求項１、２又は３記載のフレキシブル配線板を介した機能パネルと回路基板との接続構造。
【請求項５】
前記押え部は、前記フレキシブル配線板のフレーム側折返し部の両側端部を押える溝状爪部からなることを特徴とする請求項１、２又は３記載のフレキシブル配線板を介した機能パネルと回路基板との接続構造。
【請求項６】
前記押え部は、前記フレームに一体的に形成されていることを特徴とする請求項１乃至５のいずれか１に記載のフレキシブル配線板を介した機能パネルと回路基板との接続構造。
【請求項７】
前記機能パネルは、液晶パネルを有してなることを特徴とする請求項１乃至６のいずれか１に記載のフレキシブル配線板を介した機能パネルと回路基板との接続構造。
【請求項８】
回路基板と、該回路基板から出力される電気的制御に応答して所定の機能を発揮する機能パネルと、前記回路基板と前記機能パネルとを電気的に接続するフレキシブル配線板と、前記機能パネルと前記回路基板とを互いに重ねられた状態で接合するパネル取付用のフレームと、前記回路基板と前記機能パネルとを、前記フレキシブル配線板を介して電気的に接続し、かつ、前記フレームを介して接合した状態で収納する筐体とを備えてなる電子機器であって、
前記フレームには、当該フレームの前記フレキシブル配線板側に、前記フレキシブル配線板の拡開を防止するための押え部が設けられていることを
特徴とする電子機器。
【請求項９】
前記回路基板と前記機能パネルとは、弓なりに曲げられた前記フレキシブル配線板を介して電気的に接続されていることを特徴とする請求項８記載の電子機器。
【請求項１０】
前記押え部の前記フレキシブル配線板に接触する部位の高さは、前記機能パネルと前記回路基板との離隔に応じて設定されていることを特徴とする請求項８又は９記載の電子機器。
【請求項１１】
前記押え部は、前記フレキシブル配線板のフレーム側折返し部の上面を押える天井部と、前記フレキシブル配線板の側方に配置され、前記天井部を支持する支持部とを有してなることを特徴とする請求項８、９又は１０記載の電子機器。
【請求項１２】
前記押え部は、前記フレキシブル配線板のフレーム側折返し部の両側端部を押える溝状爪部からなることを特徴とする請求項８、９又は１０記載の電子機器。
【請求項１３】
前記押え部は、前記フレームに一体的に形成されていることを特徴とする請求項８乃至１２のいずれか１に記載の電子機器。
【請求項１４】
前記機能パネルは、液晶パネルを有してなることを特徴とする請求項８乃至１３のいずれか１に記載の電子機器。
【請求項１５】
単一の前記筐体に、前記回路基板、前記機能パネル、前記フレキシブル配線板及び前記フレームを含む携帯型の電子機器としての機能を発揮するための構成部品が収納され又は取り付けられていることを特徴とする請求項８乃至１４のいずれか１に記載の電子機器。
【請求項１６】
前記筐体には、前記回路基板、前記機能パネル、前記フレキシブル配線板及び前記フレームを含む携帯型の電子機器としての機能を発揮するための一部の構成部品が収納され又は取り付けられていると共に、前記筐体には、携帯型の電子機器としての機能を発揮するための他の構成部品が収納され又は取り付けられた別の筐体が結合されていることを特徴とする請求項８乃至１４のいずれか１に記載の電子機器。
【請求項１７】
前記回路基板、前記機能パネル、前記フレキシブル配線板及び前記フレームが収納された前記筐体と、前記別の筐体とは、ヒンジ手段を介して回動可能に相互に結合されていることを特徴とする請求項１６記載の電子機器。
【請求項１８】
前記回路基板、前記機能パネル、前記フレキシブル配線板及び前記フレームが収納された前記筐体と、前記別の筐体とは、スライド機構によって互いにスライド可能に結合されていることを特徴とする請求項１６記載の電子機器。
【請求項１９】
前記回路基板、前記機能パネル、前記フレキシブル配線板及び前記フレームが収納された前記筐体と、前記別の筐体とは、旋回軸の周りに互いに面接触しながら旋回可能に結合されていることを特徴とする請求項１６記載の電子機器。
【発明の詳細な説明】
【技術分野】
【０００１】
この発明は、フレキシブル配線板を介した機能パネルと回路基板との接続構造及び電子機器に係り、例えば携帯電話機等の携帯型の電子機器の液晶パネルと回路基板とが、略Ｕ字形に湾曲されて配置されたフレキシブル配線板によって電気的に接続されてなるフレキシブル配線板を介した機能パネルと回路基板との接続構造及び電子機器に関する。
【背景技術】
【０００２】
従来より、携帯型の電子機器としての携帯電話機に用いられる表示装置は、液晶パネルと、表示信号等を発生させるための配線基板とが、可撓性を有するフレキシブルプリント配線板を介して電気的に接続され、さらにバックライト装置が液晶パネルの裏面側に配置されて概略構成されている。フレキシブルプリント配線板は、絶縁性及び可撓性を有するベースフィルムに回路パターンが形成されてなっている。
ここで、小型化及び薄型化の要請から、配線基板は、保持フレームに保持された液晶パネルの裏面側に重ねるように配置され、このため、フレキシブルプリント配線板は、液晶パネル及び配線基板の側面側で略１８０°湾曲された状態で配置されることとなる。
【０００３】
ところで、フレキシブルプリント配線板は、弾性を有しており、湾曲状態で配置されていることにより、元の状態に戻ろうとする復元力（反力）のために、拡開するように（膨らむように）変形して、フレキシブルプリント配線板が液晶パネルの端部を引き上げ、液晶パネルを浮き上がらせ、表示画面が傾いてしまうという問題があった。
また、フレキシブルプリント配線板の両端部と、液晶パネル及び配線基板との接続箇所に、接続部分が外れる向きに（湾曲した向きに）力が加わり、最悪の場合、フレキシブルプリント配線板が、液晶パネルや配線基板から外れてしまうという問題があった。
【０００４】
このために、図１１乃至図１３に示すように、液晶パネル１０１を保持フレーム１０２によって保持した状態で、液晶パネル１０１の裏面側に配線基板１０３を重ねるように配置し、液晶パネル１０１と配線基板１０３とをフレキシブルプリント配線板１０４によって電気的に接続して概略構成された表示装置１０５において、筐体（不図示）の裏面側にクッション部材１０６を貼り付け、フレキシブルプリント配線板１０４と筐体との間にこのクッション部材１０６を介挿し、組立完了時には、クッション部材１０６がフレキシブルプリント配線板１０４を押え付けるようにし、これによって、フレキシブルプリント配線板１０４を、Ｕ字型に（すなわち、フレキシブルプリント配線板１０４の両端部が互いに平行となるように）保って、液晶パネル１０１の浮上りを防止すると共に、フレキシブルプリント配線板１０４の両端部が、液晶パネル１０１及び配線基板１０３の表面（又は裏面）との間に隙間が生じる向きに変位しないようにして、フレキシブルプリント配線板１０４と、液晶パネル１０１及び配線基板１０３との接続が保たれるようにしている。
【０００５】
また、構成部品の増加や組立工程数を抑えるために、筐体の裏面側に段差部を一体的に形成して、フレキシブルプリント配線板の所定の部位を押える技術（例えば、特許文献１参照。）や、配線基板に抜き部（開口）を設けてこの抜き部にフレキシブルプリント配線板を通し、抜き部の端縁でフレキシブルプリント配線板を押えて、フレキシブルプリント配線板と配線基板との接続部分にかかる力を軽減する技術も提案されている（例えば、特許文献２参照。）。
【特許文献１】特開２００１−１０９３９０号公報
【特許文献２】特開２０００−３９６２１号公報
【発明の開示】
【発明が解決しようとする課題】
【０００６】
解決しようとする第１の問題点は、フレキシブルプリント配線板に対する押圧力の強さや押圧位置の調整が困難であり、確実にかつ的確にフレキシブルプリント配線板を押えて、液晶パネルの浮上りを確実に防止することが困難であるという点である。
すなわち、上記従来技術で、例えばクッション部材の寸法のばらつきや、貼付位置のばらつきのために、また、筐体の裏面の段差部の寸法及び形状や形成位置のばらつきのために、フレキシブルプリント配線板を一定の押圧力で、所定の箇所を安定的に押し付けることが困難である。
【０００７】
また、第２の問題点は、フレキシブルプリント配線板に対する押圧力の強さや押圧位置の調整が困難であり、確実にかつ的確にフレキシブルプリント配線板を押えて、フレキシブルプリント配線板と液晶パネル及び配線基板との接続が確実に保たれるようにすることが困難であるという点である。
すなわち、上記従来技術で、例えばクッション部材の寸法のばらつきや、貼付位置のばらつきのために、また、筐体の裏面の段差部の寸法及び形状や形成位置のばらつき、配線基板の抜き部の寸法及び形状や形成位置のばらつきために、フレキシブルプリント配線板を一定の押圧力で、所定の箇所を押し付けようとすると、押圧力の強さや押圧位置について誤差が生じ、フレキシブルプリント配線板の好ましくない変形を確実に防止することが困難であるばかりか、過大な力又は偏った力で誤った箇所を押し付けてしまって、むしろ、フレキシブルプリント配線板に損傷を与えたり、脱落を促してしまいかねない。
さらに、表示装置を筐体に実装する際に、フレキシブルプリント配線板と液晶パネル及び配線基板との接続状態についての不具合の有無を予め確認することも困難である。
【課題を解決するための手段】
【０００８】
上記課題を解決するために、請求項１記載の発明は、回路基板と該回路基板から出力される電気的制御に応答して所定の機能を発揮する機能パネルとが、フレキシブル配線板を介して電気的に接続され、かつ、上記機能パネルと上記回路基板とは、機能パネル取付用のフレームを介して互いに重ねられた状態で接合された機能パネルと回路基板との接続構造に係り、上記フレームには、当該フレームの上記フレキシブル配線板側に、上記フレキシブル配線板の拡開を防止するための押え部が設けられていることを特徴としている。
なお、この発明の特許請求の範囲及び明細書において、フレキシブル配線板とは、フレキシブルケーブルも含むものとする。
【０００９】
また、請求項２記載の発明は、請求項１記載のフレキシブル配線板を介した機能パネルと回路基板との接続構造に係り、上記回路基板と上記機能パネルとは、弓なりに曲げられた上記フレキシブル配線板を介して電気的に接続されていることを特徴としている。
【００１０】
また、請求項３記載の発明は、請求項１又は２記載のフレキシブル配線板を介した機能パネルと回路基板との接続構造に係り、上記押え部の上記フレキシブル配線板に接触する部位の高さは、上記機能パネルと上記回路基板との離隔に応じて設定されていることを特徴としている。
【００１１】
また、請求項４記載の発明は、請求項１、２又は３記載のフレキシブル配線板を介した機能パネルと回路基板との接続構造に係り、上記押え部は、上記フレキシブル配線板のフレーム側折返し部の上面を押える天井部と、上記フレキシブル配線板の側方に配置され、上記天井部を支持する支持部とを有してなることを特徴としている。
【００１２】
また、請求項５記載の発明は、請求項１、２又は３記載のフレキシブル配線板を介した機能パネルと回路基板との接続構造に係り、上記押え部は、上記フレキシブル配線板のフレーム側折返し部の両側端部を押える溝状爪部からなることを特徴としている。
【００１３】
また、請求項６記載の発明は、請求項１乃至５のいずれか１に記載のフレキシブル配線板を介した機能パネルと回路基板との接続構造に係り、上記押え部は、上記フレームに一体的に形成されていることを特徴としている。
【００１４】
また、請求項７記載の発明は、請求項１乃至６のいずれか１に記載のフレキシブル配線板を介した機能パネルと回路基板との接続構造に係り、上記機能パネルは、液晶パネルを有してなることを特徴としている。
【００１５】
また、請求項８記載の発明は、回路基板と、該回路基板から出力される電気的制御に応答して所定の機能を発揮する機能パネルと、上記回路基板と上記機能パネルとを電気的に接続するフレキシブル配線板と、上記機能パネルと上記回路基板とを互いに重ねられた状態で接合するパネル取付用のフレームと、上記回路基板と上記機能パネルとを、上記フレキシブル配線板を介して電気的に接続し、かつ、上記フレームを介して接合した状態で収納する筐体とを備えてなる電子機器に係り、上記フレームには、当該フレームの上記フレキシブル配線板側に、上記フレキシブル配線板の拡開を防止するための押え部が設けられていることを特徴としている。
【００１６】
また、請求項９記載の発明は、請求項８記載の電子機器に係り、上記回路基板と上記機能パネルとは、弓なりに曲げられた上記フレキシブル配線板を介して電気的に接続されていることを特徴としている。
【００１７】
また、請求項１０記載の発明は、請求項８又は９記載の電子機器に係り、上記押え部の上記フレキシブル配線板に接触する部位の高さは、上記機能パネルと上記回路基板との離隔に応じて設定されていることを特徴としている。
【００１８】
また、請求項１１記載の発明は、請求項８、９又は１０記載の電子機器に係り、上記押え部は、上記フレキシブル配線板のフレーム側折返し部の上面を押える天井部と、上記フレキシブル配線板の側方に配置され、上記天井部を支持する支持部とを有してなることを特徴としている。
【００１９】
また、請求項１２記載の発明は、請求項８、９又は１０記載の電子機器に係り、上記押え部は、上記フレキシブル配線板のフレーム側折返し部の両側端部を押える溝状爪部からなることを特徴としている。
【００２０】
また、請求項１３記載の発明は、請求項８乃至１２のいずれか１に記載の電子機器に係り、上記押え部は、上記フレームに一体的に形成されていることを特徴としている。
【００２１】
また、請求項１４記載の発明は、請求項８乃至１３のいずれか１に記載の電子機器に係り、上記機能パネルは、液晶パネルを有してなることを特徴としている。
【００２２】
また、請求項１５記載の発明は、請求項８乃至１４のいずれか１に記載の電子機器に係り、単一の上記筐体に、上記回路基板、上記機能パネル、上記フレキシブル配線板及び上記フレームを含む携帯型の電子機器としての機能を発揮するための構成部品が収納され又は取り付けられていることを特徴としている。
【００２３】
また、請求項１６記載の発明は、請求項８乃至１４のいずれか１に記載の電子機器に係り、上記筐体には、上記回路基板、上記機能パネル、上記フレキシブル配線板及び上記フレームを含む携帯型の電子機器としての機能を発揮するための一部の構成部品が収納され又は取り付けられていると共に、上記筐体には、携帯型の電子機器としての機能を発揮するための他の構成部品が収納され又は取り付けられた別の筐体が結合されていることを特徴としている。
【００２４】
また、請求項１７記載の発明は、請求項１６記載の電子機器に係り、上記回路基板、上記機能パネル、上記フレキシブル配線板及び上記フレームが収納された上記筐体と、上記別の筐体とは、ヒンジ手段を介して回動可能に相互に結合されていることを特徴としている。
【００２５】
また、請求項１８記載の発明は、請求項１６記載の電子機器に係り、上記回路基板、上記機能パネル、上記フレキシブル配線板及び上記フレームが収納された上記筐体と、上記別の筐体とは、スライド機構によって互いにスライド可能に結合されていることを特徴としている。
【００２６】
また、請求項１９記載の発明は、請求項１６記載の電子機器に係り、上記回路基板、上記機能パネル、上記フレキシブル配線板及び上記フレームが収納された上記筐体と、上記別の筐体とは、旋回軸の周りに互いに面接触しながら旋回可能に結合されていることを特徴としている。
【発明の効果】
【００２７】
この発明の構成によれば、機能パネルを保持するフレームに予め固定された押え部がフレキシブル配線板をフレーム本体側に押圧するように押えるので、フレキシブル配線板に対する押圧力の強さや押圧位置の誤差を抑えることができ、確実にかつ的確にフレキシブル配線板を押えて、機能パネルの浮上りを確実に防止することができる。
また、確実にかつ的確にフレキシブル配線板を押えて、フレキシブル配線板と機能パネル及び回路基板との接続が確実に保たれるようにすることができる。
【００２８】
また、例えば押え部が筐体に設けられているわけではないので、機能パネルを筐体に実装する際に、フレキシブル配線板と機能パネル及び回路基板との接続状態についての不具合の有無を予め確認することができる。
また、押え部をフレームに一体的に形成することによって、構成部品の増加や組立工程数を抑えることができるので、コストを低減し生産性を向上させることができる。
【発明を実施するための最良の形態】
【００２９】
機能パネルを保持するフレームに予め固定された押え部がフレキシブル配線板をフレーム本体側に押圧するように押えることによって、フレキシブル配線板に対する押圧力の強さや押圧位置の誤差を抑えて、確実にかつ的確にフレキシブル配線板を押えて、機能パネルの浮上りを確実に防止するという第１の目的を実現した。また、確実にかつ的確にフレキシブル配線板を押えることによって、フレキシブル配線板と機能パネル及び回路基板との接続が確実に保たれるようにするという第２の目的を実現した。
【実施例１】
【００３０】
図１は、この発明の第１実施例である携帯電話機の構成を示す斜視図、図２は、同携帯電話機の表示部の構成を示す斜視図、図３は、同表示部の構成を示す平面図、図４は、図３のＡ−Ａ線に沿った断面図、図５は、図４のＢ部を拡大して示す拡大断面図、図６は、同携帯電話機の構成を示すブロック図、図７及び図８は、同携帯電話機の構成を分解して示す分解斜視図、また、図９は、同携帯電話機の液晶パネルと配線基板との接続構造の構成を示す斜視図である。
【００３１】
この例の携帯電話機（電子機器）１は、通話機能のほか、例えばインターネットに接続してホームページの閲覧や電子メールの送受信が可能なデータ通信機能を有し、図１に示すように、上側ユニット２と下側ユニット３とが折畳可能なようにヒンジ部４で相互に結合されて構成されている。
上側ユニット２は、図１及び図６に示すように、折畳可能な筐体５を構成する上側筐体６に、例えば、待受画面や機能設定画面等が表示される表示部７と、無線電波の送受信を行うアンテナ８と、着信時や通話時に発光する発光部９と、受話音声を出力するスピーカ１１とが実装されて概略構成されている。
【００３２】
また、下側ユニット３は、筐体５を構成する下側筐体１２に、当該携帯電話機本体の構成各部を制御する制御部１３と、制御部１３が実行する処理プログラムや各種データ等を記憶するための記憶部１４と、アンテナ８を介して無線電波の送受信を行い、所定のプロトコルに従って通話やデータ通信を行うために用いられる無線通信部１５と、数字や文字の入力操作等を行うための多数の各種操作キー等からなる操作部１６と、送話音声を入力するマイクロフォン１７と、バッテリパック等からなる電源部１８が実装されて概略構成されている。
また、筐体５は、ヒンジ部４で相互に結合された上側筐体６と下側筐体１２とからなり、ヒンジ部４は、上側筐体６と下側筐体１２とを回動可能に結合して当該携帯電話機１に折畳可能な構造を付与している。
【００３３】
表示部７は、図２乃至図８に示すように、上側筐体６の折畳時に内側となる側に配設され、待受画面や機能設定画面等が表示される主表示用液晶パネル（機能パネル）２１と、上側筐体６の折畳時に外側となる側に配設され、例えば、現在時刻や着信通知等の表示がなされる補助表示用液晶パネル２２と、主表示用液晶パネル２１等を保持して、絶縁性基板に所定の回路パターンが形成され電子部品が搭載されてなる配線基板（回路基板）２３に取り付けられる枠状の保持フレーム（機能パネル取付け用のフレーム）２４と、主表示用液晶パネル２１と配線基板２３とを電気的に接続するフレキシブルプリント配線板（フレキシブル配線板）２５と、主表示用液晶パネル２１及び補助表示用液晶パネル２２に照明光を与えるバックライト装置（不図示）とを有すると共に、フレキシブルプリント配線板２５の好ましくない変形を防止して、主表示用液晶パネル２１の浮上りを防止し、フレキシブルプリント配線板２５と主表示用液晶パネル２１及び配線基板２３との接続関係を保持するための液晶パネルと配線基板との接続構造を有している。
【００３４】
主表示用液晶パネル２１は、例えばＴＦＴ（Thin Film Transistor）構造の透過型の液晶表示パネルであり、ＴＦＴと透明画素電極とが多数形成されているＴＦＴ基板と、ＴＦＴ基板と数［μm］の間隙を介して対向して固定され、着色層（カラーフィルタ）が形成された対向基板と、上記間隙に封入された液晶層と、ＴＦＴ基板、対向基板の外側に配設された一対の偏向板とを有している。
補助表示用液晶パネル２２は、寸法が異なり着色層が省略されている以外は、主表示用液晶パネル２１と略同一構成の例えばＴＦＴ方式の透過型の液晶パネルである。
【００３５】
保持フレーム２４のフレキシブルプリント配線板２５が配置される側の端部には、図７に示すように、フレキシブルプリント配線板２５の主表示用液晶パネル２１との接続箇所の近傍の保持フレーム側折返し部２５ａの上面（携帯電話機１を折り畳んだ際に内側となる面）を押えて、フレキシブルプリント配線板２５の被押圧箇所を配線基板２３側へ向けて押圧する押え部２７が一体的に形成されている。
【００３６】
この押え部２７は、フレキシブルプリント配線板２５の保持フレーム側折返し部２５ａの上面を押える天井部２７ａと、フレキシブルプリント配線板２５の側方に配置され、天井部２７ａを支持する支持部２７ｂ，２７ｂとを有してなっている。
また、保持フレーム２４には、主表示用液晶パネル２１が枠状の両面粘着シート（リムシート）２８によって取り着けられている。
また、配線基板２３のフレキシブルプリント配線板２５が配置される側の端部には、フレキシブルプリント配線板２５の配線基板側折返し部２５ｂを載置する載置部２３ａが突設されている。
【００３７】
さらに、主表示用液晶パネル２１が取り着けられた保持フレーム２４は、保持フレーム２４の側部に形成された嵌合爪２９が配線基板２３の周縁部の対応する部位に形成された嵌合凹部３１に嵌合することによって、配線基板２３に取り付けられている。
これによって、配線基板２３は、保持フレーム２４に保持された主表示用液晶パネル２１の裏面側に重ねるように配置され、フレキシブルプリント配線板２５は、主表示用液晶パネル２１及び配線基板２３の側面側で略１８０°湾曲された状態で配置されている。
【００３８】
フレキシブルプリント配線板２５は、絶縁性及び可撓性を有するベースフィルムに所定の回路パターンが形成され、かつ、上述したように、断面略Ｕ字形に湾曲した状態で配置され、押え部２７で折り返された状態で（天井部２７ａの下方を潜らせた状態で）、その両端が主表示用液晶パネル２１の端部及び配線基板２３の端部に配置されたコネクタ３２にそれぞれ接続されている。
【００３９】
この例の液晶パネルと配線基板との接続構造は、図４、図５及び図９に示すように、主表示用液晶パネル２１と配線基板２３とを湾曲した状態で接続するフレキシブルプリント配線板２５の保持フレーム側折返し部２５ａの上面が保持フレーム２４に形成された押え部２７の天井部２７ａの裏面に接触して押圧され、主表示用液晶パネル２１側への変位を制止され（拡開を防止され）、配線基板側折返し部２５ｂの下面が配線基板２３の載置部２３ａの表面（主表示用液晶パネル２１側の面）に接触してなっている。
ここで、天井部２７ａの高さは、主表示用液晶パネル２１と配線基板２３との離隔に応じて設定されている。
【００４０】
これによって、フレキシブルプリント配線板２５は、断面略Ｕ字形に、（すなわち、フレキシブルプリント配線板２５の保持フレーム側折返し部２５ａと配線基板側折返し部２５ｂとが互いに略平行となるように）保たれ、かつ、保持フレーム側折返し部２５ａと配線基板側折返し部２５ｂとは所定の間隔が保れて、主表示用液晶パネル２１の浮上りが防止されると共に、フレキシブルプリント配線板２５の両端部が、主表示用液晶パネル２１及び配線基板２３の表面（又は裏面）との間に隙間が生じる向きに変位しないようにされ、フレキシブルプリント配線板２５と、主表示用液晶パネル２１及び配線基板２３との接続関係が保たれる。
【００４１】
制御部１３は、ＣＰＵ（中央処理装置）等からなり、例えば、所定の電話番号に対する発呼処理等を行うための通信制御プログラムや、操作部１６の各種キーボタンからの入力情報を処理する操作制御プログラム、受信したデータ等を例えば主表示用液晶パネル２１に表示させるための表示制御プログラム、ホームページを閲覧するためのプログラムとしてのブラウザ、電子メールを作成したり送受信するためのプログラムとしてのメーラ等の記憶部１４に記憶された各種処理プログラムを実行し、記憶部１４に確保された各種レジスタやフラグを用いて、構成各部を制御して通信制御処理や表示制御処理等を行う。
【００４２】
記憶部１４は、ＲＯＭ、ＲＡＭ等の半導体メモリからなり、制御部１３が実行する各種処理プログラム等をが記憶されたプログラム記憶領域と、各機能の設定情報や通信履歴情報、電話帳情報等の各種情報が記憶された情報記憶領域とを有すると共に、この記憶部１４には、制御部１３がプログラム実行時に用いる各種レジスタやフラグが確保されている。
【００４３】
無線通信部１５は、ＲＦ回路や、変復調回路、ベースバンド処理回路等からなり、音声やデータを変調してアンテナ８を介して無線電波として送信すると共に、無線電波をアンテナ８を介して受信して音声やデータに復調し、所定のプロトコルに従って通話やデータ通信を行うために用いられる。
操作部１６は、ブラウザを起動させてホームページを閲覧するためのブラウザモード選択キー、操作を決定するために用いられる決定キー、操作メニューを表示させるためのメニューキー、文字入力モードを切り換えるための入力モード切替えキー、電話帳を登録したり検索するための電話帳キー、音声通話を行うために用いる通話開始キー、操作を１つ前の状態へ戻すクリアキー、及び電源の入切りを行った各種操作を中止するために用いられる電源キーを含む機能キー群と、主表示用液晶パネル２１に表示された表示画面状のカーソルを上下左右方向へ移動させるためのカーソルキーと、例えば数字等を入力するためのテンキー群とを有している。
【００４４】
この例の携帯電話機１を組み立てるには、まず、図７及び図８に示すように、主表示用液晶パネル２１にフレキシブルプリント配線板２５を接続し、かつ、両面粘着シート２８を保持フレーム２４に貼着しておく。
次に、フレキシブルプリント配線板２５が接続された主表示用液晶パネル２１を、両面粘着シート２８を介して保持フレーム２４に取り付ける。
【００４５】
ここで、フレキシブルプリント配線板２５を保持フレーム２４の一端部に形成された押え部２７で折り返させる（すなわち、天井部２７ａの下方を潜らせる）。
次に、フレキシブルプリント配線板２５をＵ字状に（すなわち、略１８０°）湾曲させた状態で、その他端部を配線基板２３に配置されたコネクタ３２に接続し、かつ、保持フレーム２４の側部に形成された嵌合爪２９を配線基板２３の対応する部位に形成された嵌合凹部３１に嵌合して、主表示用液晶パネル２１が取り着けられた保持フレーム２４を配線基板２３に取り付ける。
【００４６】
こうして組み立てられた携帯電話機１において、フレキシブルプリント配線板２５の保持フレーム側折返し部２５ａの上面が保持フレーム２４に形成された押え部２７の天井部２７ａの裏面に接触し、フレキシブルプリント配線板２５は、その弾性によって、元の状態に戻ろうとする復元力（反力）のために、変形しようとしても、主表示用液晶パネル２１側への変位を制止される。
これによって、フレキシブルプリント配線板２５は、断面略Ｕ字型に、（すなわち、フレキシブルプリント配線板２５の保持フレーム側折返し部２５ａと配線基板側折返し部２５ｂとが互いに平行となるように）保たれ、主表示用液晶パネル２１の浮上りが防止されると共に、フレキシブルプリント配線板２５の両端部が、主表示用液晶パネル２１及び配線基板２３の表面（又は裏面）との間に隙間が生じる向きに変位しないようされ、フレキシブルプリント配線板２５と、主表示用液晶パネル２１及び配線基板２３との接続関係が保たれる。
【００４７】
この例の構成によれば、主表示用液晶パネル２１を保持する保持フレーム２４の主表示用液晶パネル２１とフレキシブルプリント配線板２５との接続箇所近傍に、予め形成された押え部２７が、フレキシブルプリント配線板２５を保持フレーム本体側に押圧するように押えるので、フレキシブルプリント配線板２５に対する押圧力の強さや押圧位置の誤差を抑えることができ、確実にかつ的確にフレキシブルプリント配線板２５を押えて、主表示用液晶パネル２１の浮上りを確実に防止して、表示画面の傾きを防止することができる。
また、確実にかつ的確にフレキシブルプリント配線板２５を押えて、フレキシブルプリント配線板２５と主表示用液晶パネル２１及び配線基板２３との接続が確実に保たれるようにすることができる。
【００４８】
また、主表示用液晶パネル２１を上側筐体６に実装する際に、フレキシブルプリント配線板２５と主表示用液晶パネル２１及び配線基板２３との接続状態についての不具合の有無を予め確認することができる。
また、押え部２７を保持フレーム２４に一体的に形成することによって、クッション部材を用いた従来技術に比べて、構成部品の増加や組立工程数を抑えることができるので、コスト（部材費及び組立費）を低減させ、生産性を向上させることができる。
【実施例２】
【００４９】
図１０は、この発明の第２実施例である携帯電話機の液晶パネルと配線基板との接続構造の構成を示す斜視図である。
この例が上述した実施例１と大きく異なるところは、実施例１では押え部をフレキシブルプリント配線板の上面を押える天井部と、この天井部を支持する支持部とから構成したのに対して、図１０に示すように、フレキシブルプリント配線板２５の両側端部を押える溝部４３ａから構成した点である。
これ以外の構成は、上述した実施例１の構成と略同一であるので、その説明を簡略にする。
【００５０】
この例の携帯電話機の表示部を構成する液晶パネルと配線基板との接続構造は、図１０に示すように、主表示用液晶パネル２１と配線基板２３とを湾曲した状態で接続するフレキシブルプリント配線板２５の保持フレーム側折返し部２５ａの両側端部が保持フレーム４２に形成された溝部（溝状爪部）４３ａを有する押え部４３によって保持され、主表示用液晶パネル２１側への変位を制止され、配線基板側折返し部２５ｂの下面が配線基板２３の載置部２３ａの表面（主表示用液晶パネル２１側の面）に接触し、保持フレーム側折返し部２５ａと配線基板側折返し部２５ｂとが所定の間隔を保ってなっている。
【００５１】
この例の構成によれば、上述した実施例１と略同様の効果を得ることができる。
加えて、押え部の構成を簡略化したので、コストを低減することができる。
【００５２】
以上、この発明の実施例を図面を参照して詳述してきたが、具体的な構成はこの実施例に限られるものではなく、この発明の要旨を逸脱しない範囲の設計の変更等があってもこの発明に含まれる。
例えば、上述した実施例では、筐体を、ヒンジ部（ヒンジ手段）で相互に結合された上側筐体と下側筐体とから構成し、携帯電話機を折畳可能な構造とした場合について述べたが、これに限らず、２つの筐体を、スライド機構によって互いにスライド可能に結合する場合に適用しても良いし、また、２つの筐体を、旋回軸の周りに互いに面接触しながら旋回可能に結合する場合に適用しても良い。さらに、単一の筐体を用いた場合に適用しても良い。
また、上述した実施例では、主表示用液晶パネルに適用する場合について述べたが、補助表示用液晶パネルにも適用するようにしても良い。
また、フレキシブルプリント配線板に代えて、フレキシブルケーブルを用いて、主表示用液晶パネルと配線基板とを接続するようにしても良い。
【００５３】
また、配線基板とフレキシブルプリント配線板との接続をコネクタを用いて行う場合について述べたが、熱圧着によって行うようにしても良い。
また、実施例１で、押え部を保持フレームと一体的に形成する場合について述べたが、例えば天井部をワイヤ状の部材から構成しても良い。
また、実施例２で、押え部を、溝部に代えて、ピン状の部材によって上方からフレキシブルプリント配線板を押えるように構成しても良い。
【産業上の利用可能性】
【００５４】
携帯型の電子機器としての携帯電話機のほか、簡易型携帯電話（ＰＨＳ）端末や、携帯情報端末（ＰＤＡ）等に適用することもできる。さらに、携帯型の電子機器のほか、フレキシブルプリント配線板を湾曲状態で筐体内に収納して用いるような他の電子機器にも適用することができる。
【図面の簡単な説明】
【００５５】
【図１】この発明の第１実施例である携帯電話機の構成を示す斜視図である。
【図２】同携帯電話機の表示部の構成を示す斜視図である。
【図３】同表示部の構成を示す平面図である。
【図４】図３のＡ−Ａ線に沿った断面図である。
【図５】図４のＢ部を拡大して示す拡大断面図である。
【図６】同携帯電話機の構成を示すブロック図である。
【図７】同携帯電話機の構成を分解して示す分解斜視図である。
【図８】同携帯電話機の構成を分解して示す分解斜視図である。
【図９】同携帯電話機の液晶パネルと配線基板との接続構造の構成を示す斜視図である。
【図１０】この発明の第２実施例である携帯電話機の液晶パネルと配線基板との接続構造の構成を示す斜視図である。
【図１１】従来技術を説明するための説明図である。
【図１２】従来技術を説明するための説明図である。
【図１３】従来技術を説明するための説明図である。
【符号の説明】
【００５６】
１      携帯電話機（電子機器）
４      ヒンジ部（ヒンジ手段）
５      筐体
６      上側筐体
７      表示部
１２      下側筐体
１３      制御部
１４      記憶部
２１      主表示用液晶パネル（機能パネル）
２２      補助表示用液晶パネル
２３      配線基板（回路基板）
２４，４２      保持フレーム（機能パネル取付け用のフレーム）
２５      フレキシブルプリント配線板（フレキシブル配線板）
２７，４３      押え部
２７ａ      天井部
２７ｂ      支持部
４３ａ      溝部（溝状爪部）
【図１】
2005123544.tif 000003
【図２】
2005123544.tif 000004
【図３】
2005123544.tif 000005
【図４】
2005123544.tif 000006
【図５】
2005123544.tif 000007
【図６】
2005123544.tif 000008
【図７】
2005123544.tif 000009
【図８】
2005123544.tif 000010
【図９】
2005123544.tif 000011
【図１０】
2005123544.tif 000012
【図１１】
2005123544.tif 000013
【図１２】
2005123544.tif 000014
【図１３】
2005123544.tif 000015